(57)【要約】【課題】本発明は、ユーザが契約している登録国や登録オペレータに依ることなく、ユーザの所望するサービスを容易に利用することが可能な携帯通信端末の提供を目的とする。【解決手段】本発明に係る携帯通信端末１０において、端末全体を統括制御する制御部１２は、端末に装着された外部メモリ２０からユーザ情報２１を取得する手段、取得されたユーザ情報２１からユーザが契約している登録国或いは登録オペレータを識別する手段、及び、その識別結果に基づいて端末内に予め登録されている複数のソフトウェアや設定を自動的に切り替える手段として機能する。【選択図】図１
2007129301.tif 000002
【特許請求の範囲】
【請求項１】
端末に装着された外部メモリからユーザ情報を取得する手段と、取得されたユーザ情報からユーザが契約している登録国或いは登録オペレータを識別する手段と、その識別結果に基づいて端末内に予め登録されている複数のソフトウェアや設定を自動的に切り替える手段と、を有して成ることを特徴とする携帯通信端末。
【請求項２】
端末に装着された外部メモリからユーザ情報を取得する手段と、取得されたユーザ情報からユーザが契約している登録国或いは登録オペレータを識別する手段と、その識別結果に基づいて端末外からソフトウェアや設定を自動的に取得する手段と、端末外から取得されたソフトウェアや設定に基づいて端末内のソフトウェアや設定を自動的に更新する手段と、を有して成ることを特徴とする携帯通信端末。
【請求項３】
端末に装着された外部メモリからユーザ情報を取得する手段と；取得されたユーザ情報からユーザが契約している登録国或いは登録オペレータを識別する手段と；識別された登録国或いは登録オペレータで必要とされるソフトウェアや設定が端末で現在選択されているか否かを判定する手段と；上記のソフトウェアや設定が端末内に予め登録されているか否かを判定する手段と；上記のソフトウェアや設定が端末では現在選択されてはいないものの、端末内に予め登録されているとの判定結果に基づいて、端末内に予め登録されている複数のソフトウェアや設定の中から、上記のソフトウェアや設定を選択するように、端末内のソフトウェアや設定を自動的に切り替える手段と；上記のソフトウェアや設定が端末では現在選択されておらず、かつ、端末内にも登録されていないとの判定結果に基づいて、端末外から上記のソフトウェアや設定を自動的に取得する手段と；端末外から取得されたソフトウェアや設定を選択するように、端末内のソフトウェアや設定を自動的に更新する手段と；を有して成ることを特徴とする携帯通信端末。
【請求項４】
端末に装着された外部メモリからユーザ情報を取得する手段と；取得されたユーザ情報からユーザが契約している登録国或いは登録オペレータを識別する手段と；識別された登録国或いは登録オペレータで必要とされるソフトウェアや設定が端末で現在選択されているか否かを判定する手段と；上記のソフトウェアや設定が端末内に予め登録されているか否かを判定する手段と；端末内に予め登録されていると判定されたソフトウェアや設定が最新であるか否かを判定する手段と；上記のソフトウェアや設定が端末では現在選択されてはいないものの、端末内に予め登録されており、かつ、それが最新であるとの判定結果に基づいて、端末内に予め登録されている複数のソフトウェアや設定の中から、上記のソフトウェアや設定を選択するように、端末内のソフトウェアや設定を自動的に切り替える手段と；上記のソフトウェアや設定が端末では現在選択されておらず、かつ、端末内にも登録されていない、或いは、端末内には予め登録されているものの、それは最新ではないとの判定結果に基づいて、端末外から上記のソフトウェアや設定を自動的に取得する手段と；端末外から取得されたソフトウェアや設定を選択するように、端末内のソフトウェアや設定を自動的に更新する手段と；を有して成ることを特徴とする携帯通信端末。
【発明の詳細な説明】
【技術分野】
【０００１】
本発明は、複数オペレータ（事業者）が存在する国または地域で利用され、若しくは、多国間または多地域間にわたって利用される携帯通信端末に関するものである。
【背景技術】
【０００２】
近年、携帯電話端末やＰＤＡ［Personal Digital/Data Assistance］などの携帯通信端末は、世界中に広く普及しており、複数オペレータの存在する国または地域で利用され、若しくは、多国間または多地域間にわたって利用されている。
【０００３】
また、近年では、端末に装着された外部メモリから得られるユーザ情報に応じて、その通信方式をユーザが契約している登録国及び登録オペレータに適合させる機能を備えた携帯通信端末（ＩＭＴ−２０００［International Mobile Telecommunication 2000］が規格・提唱する第３世代携帯通信端末など）も実用化されている。
【０００４】
なお、本願発明に関連するその他の従来技術としては、特許文献１の通信システムを挙げることができる。当該通信システムにおいて、ソフトウェア無線機構を備えた携帯電話端末は、通信方式を変更する場合に、全世界で自機に固有の情報となる端末識別情報と現在位置に応じた地域情報とをサーバ装置に送信する。一方、サーバ装置は、端末識別情報と地域情報とに対応付けて、地域情報によって示される地域において、当該携帯電話端末が使用可能な回路情報とプログラムとを記憶保持したデータベースを持っており、その地域においてその携帯電話端末が使用可能な回路情報とプログラムとをその携帯電話端末に提供し、通信方式の変更を可能にする。
【０００５】
【特許文献１】特開２００３−３１８８０２号公報
【発明の開示】
【発明が解決しようとする課題】
【０００６】
確かに、外部メモリから得られるユーザ情報に応じて、接続可能なオペレータを切り替える上記従来の携帯通信端末であれば、複数オペレータ間、或いは、多国間または多地域間にわたって、複数の端末をあたかも一端末として利用することができる。
【０００７】
しかしながら、携帯通信端末に提供されるサービスは、オペレータ毎、若しくは、国または地域毎に多種多様であり、携帯通信端末自体にも、各サービスに合わせた独自のソフトウェアや設定が組み込まれていることが多い。
【０００８】
一方、上記従来の携帯通信端末は、あくまで、外部メモリから得られるユーザ情報に応じて、その通信方式（延いては接続可能なオペレータ）を切り替えるものであって、そのサービスを実現するためのソフトウェアや設定を自動更新するものではなかった。
【０００９】
そのため、上記従来の携帯通信端末では、外部メモリを装着することで所望のオペレータと接続することはできても、そのサービスを全て利用することができない、といった状況に陥るおそれがあり、ユーザがこれを利用したければ、携帯通信端末に必要なソフトウェアや設定を組み込まねばならず、ユーザに煩雑な作業を強いる結果となっていた。
【００１０】
なお、特許文献１の通信システムは、多国間または多地域間を往来するユーザの所在地に応じて、その所有する携帯通信端末の通信方式を自動更新する技術（国際ローミング技術）に主眼を置いた発明であり、その構成は、ユーザの所在する国または地域の基地局から地域情報の取得を行い、これに応じて端末の通信方式やソフトウェアなどの自動更新を行う構成とされていた。
【００１１】
すなわち、当該従来技術を上記課題の解決手段として採用するためには、上記の自動更新処理に先立って、携帯通信端末と基地局との通信が認証されていなければならず、ローミング契約の非締結や通信方式の不一致などに起因して、その認証を得ることができなかった場合には、基地局から地域情報を取得することができないため、上記の自動更新処理を進めることができず、延いては、所望のサービスを利用することができない結果となっていた。なお、携帯通信端末と基地局との通信を要することなく、上記の自動更新処理を行う一手法としては、ユーザの手動入力によって地域情報の指定を行うことが考えられるが、当該手法を採用した場合には、ユーザに煩雑な作業を強いる結果となっていた。
【００１２】
本発明は、上記の問題点に鑑み、ユーザが契約している登録国や登録オペレータに依ることなく、ユーザの所望するサービスを容易に利用することが可能な携帯通信端末を提供することを目的とする。
【課題を解決するための手段】
【００１３】
上記目的を達成すべく、本発明に係る携帯通信端末は、端末に装着された外部メモリからユーザ情報を取得する手段と、取得されたユーザ情報からユーザが契約している登録国或いは登録オペレータを識別する手段と、その識別結果に基づいて端末内に予め登録されている複数のソフトウェアや設定を自動的に切り替える手段と、を有して成る構成（第１の構成）とされている。
【００１４】
或いは、端末に装着された外部メモリからユーザ情報を取得する手段と、取得されたユーザ情報からユーザが契約している登録国或いは登録オペレータを識別する手段と、その識別結果に基づいて端末外からソフトウェアや設定を自動的に取得する手段と、端末外から取得されたソフトウェアや設定に基づいて端末内のソフトウェアや設定を自動的に更新する手段と、を有して成る構成（第２の構成）とされている。
【００１５】
或いは、端末に装着された外部メモリからユーザ情報を取得する手段と；取得されたユーザ情報からユーザが契約している登録国或いは登録オペレータを識別する手段と；識別された登録国或いは登録オペレータで必要とされるソフトウェアや設定が端末で現在選択されているか否かを判定する手段と；上記のソフトウェアや設定が端末内に予め登録されているか否かを判定する手段と；上記のソフトウェアや設定が端末では現在選択されてはいないものの、端末内に予め登録されているとの判定結果に基づいて、端末内に予め登録されている複数のソフトウェアや設定の中から、上記のソフトウェアや設定を選択するように、端末内のソフトウェアや設定を自動的に切り替える手段と；上記のソフトウェアや設定が端末では現在選択されておらず、かつ、端末内にも登録されていないとの判定結果に基づいて、端末外から上記のソフトウェアや設定を自動的に取得する手段と；端末外から取得されたソフトウェアや設定を選択するように、端末内のソフトウェアや設定を自動的に更新する手段と；を有して成る構成（第３の構成）とされている。
【００１６】
或いは、端末に装着された外部メモリからユーザ情報を取得する手段と；取得されたユーザ情報からユーザが契約している登録国或いは登録オペレータを識別する手段と；識別された登録国或いは登録オペレータで必要とされるソフトウェアや設定が端末で現在選択されているか否かを判定する手段と；上記のソフトウェアや設定が端末内に予め登録されているか否かを判定する手段と；端末内に予め登録されていると判定されたソフトウェアや設定が最新であるか否かを判定する手段と；上記のソフトウェアや設定が端末では現在選択されてはいないものの、端末内に予め登録されており、かつ、それが最新であるとの判定結果に基づいて、端末内に予め登録されている複数のソフトウェアや設定の中から、上記のソフトウェアや設定を選択するように、端末内のソフトウェアや設定を自動的に切り替える手段と；上記のソフトウェアや設定が端末では現在選択されておらず、かつ、端末内にも登録されていない、或いは、端末内には予め登録されているものの、それは最新でないとの判定結果に基づいて、端末外から上記のソフトウェアや設定を自動的に取得する手段と；端末外から取得されたソフトウェアや設定を選択するように、端末内のソフトウェアや設定を自動的に更新する手段と；を有して成る構成（第４の構成）としている。
【発明の効果】
【００１７】
本発明によれば、ユーザが契約している登録国や登録オペレータに依ることなく、ユーザの所望するサービスを容易に利用することができるので、ユーザの利便性を向上することが可能となる。
【発明を実施するための最良の形態】
【００１８】
図１は、本発明に係る携帯通信端末（携帯電話端末やＰＤＡ［Personal Digita/Data Assistance］など）の概略構成を示すブロック図である。
【００１９】
本図に示すように、本発明に係る携帯通信端末１０は、外部メモリ接続部１１と、制御部１２と、操作部１３と、表示部１４と、メモリ部１５と、を有して成る。
【００２０】
外部メモリ接続部１１は、携帯通信端末１０に内蔵されていない着脱式の外部メモリ２０（ＳＩＭ［Subscriber Identity Module］やＵＳＩＭ［Universal SIM］など）との間で、通信を確立するためのインタフェイス手段である。
【００２１】
外部メモリ２０には、ユーザを識別するためのユーザ情報２１（移動加入者識別番号：ＩＭＳＩ［International Mobile Subscriber Identity］）が記録されている。
【００２２】
なお、上記のユーザ情報２１としては、ユーザ毎に割り当てられた電話番号（ＭＳＩＮ［Mobile Subscriber Identification Number］）のほかにも、ユーザが契約している登録国を識別するための国コード（ＭＣＣ［Mobile Country Code］（日本は「４４０」）や、ユーザが契約している登録オペレータ（事業者）を識別するためのオペレータコード（ＭＮＣ［Mobile Network Code］（例えば「２０」）などが含まれている。
【００２３】
制御部１２は、マイコン等を有して成り、端末各部（接続部１１、操作部１３、表示部１４、メモリ部１５）を統括制御する手段として機能するほか、ユーザ情報取得手段１２１及びネットワーク接続手段１２２としても機能する。
【００２４】
なお、ユーザ情報取得手段１２１とは、外部メモリ２０からユーザ情報２１を取得するための手段であり、外部メモリ２０に格納されたユーザ情報２１は、このユーザ情報取得手段１２１を介して、携帯通信端末１０に取り込まれる。
【００２５】
また、ネットワーク接続手段１２２とは、携帯通信端末１０と図示しないネットワーク（有線ＬＡＮ［Local Area Network］や無線ＬＡＮのほか、BluetoothやIrDA［Infrared Data Association］規格に準拠した無線通信端末との２端末間ネットワークなどを含む）との接続を確立するための手段である。
【００２６】
操作部１３は、カーソルキーやテンキーから成り、ユーザ操作を受け付けるためのインタフェイス手段として機能する。
【００２７】
表示部１４は、液晶ディスプレイなどから成り、各種情報を視覚的に出力するためのユーザインタフェイス手段として機能する。
【００２８】
メモリ部１５は、ＲＯＭ［Read Only Memory］やＲＡＭ［Random Access Memory］から成る情報格納手段であり、国番号データベース１５１と、ユーザ情報１５２と、ソフトウェア情報１５３と、データ管理情報１５４と、が格納されている。
【００２９】
なお、国番号データベース１５１とは、先述した国コード（ＭＣＣ）と、国際発呼時に必要となる国番号（日本なら「８１」）との対応を管理しているデータベースのことであり、国コードと国番号を双方向に検索することを可能とするものである。
【００３０】
ユーザ情報１５２とは、携帯通信端末１０のユーザに関する各種の情報（名前や電話番号、登録国番号など）のことであり、主として、発着信時に必要となるものである。
【００３１】
ソフトウェア情報１５３とは、携帯通信端末１０のソフトウェアや設定に関する各種の情報（初期化時における国コード、オペレータコードなど）のことである。
【００３２】
データ管理情報１５４とは、携帯通信端末１０のソフトウェアや設定の切替或いは更新を管理するために必要なデータ（例えば、使用地域や販売地域として想定される国または地域、或いは、オペレータ毎のサービスに対応すべく、予め携帯通信端末１０に登録された複数のソフトウェアや設定、そのバージョン情報、並びに、未登録とされたソフトウェアや設定の取得先情報など）のことである。
【００３３】
なお、上記サービスの一例としては、インターネットやメール、チャット、ゲームなどを挙げることができる。
【００３４】
また、上記サービスの利用に際して必要となるソフトウェアの一例としては、携帯通信端末本体のソフトウェア、Ｊａｖａ（登録商標）やゲームなどのアドインツールなどを挙げることができ、上記サービスの利用に際して必要となる設定の一例としては、接続先のサーバ情報やプロキシなどを挙げることができる。
【００３５】
また、本図には明示されていないが、本実施形態の携帯通信端末１０は、上記回路部のほかにも、基地局との無線通信（すなわち電話回線網との接続）を確立するための無線通信部や、音声通話に際して必要となるスピーカ部及びマイク部を有して成る。
【００３６】
なお、上記の無線通信部（特に信号処理部分やプロトコル処理部分）としては、その回路構成を適宜変更することが可能な回路素子（ＰＬＤ［Programmable Logic Device］、ＦＰＧＡ［Field Programmable Gate Array］など）や、その実行に必要なソフトウェアを書き換えることが可能な信号処理回路（ＤＳＰ［Digital Signal Processor］など）などを有して成り、種々の通信方式に対応することができるものとすればよい。
【００３７】
このような構成とすることにより、端末に装着された外部メモリ２０から得られるユーザ情報２１に応じて、その通信方式をユーザが契約している登録国や登録オペレータに適合させることが可能となる。
【００３８】
以下では、上記構成から成る携帯通信端末１０において、制御部１２を主体として行われるソフトウェアや設定の自動切替処理或いは自動更新処理につき、図２〜図４を参照しながら、詳細な説明を行う。
【００３９】
まず、図２を参照しながら上記処理の第１実施形態について説明する。
【００４０】
図２は、携帯通信端末１０においてソフトウェアや設定の自動切替或いは自動更新を行う処理の第１実施形態を示すフローチャートである。
【００４１】
なお、図２のフローを実行する前提として、携帯通信端末１０の内部に格納されたソフトウェアや設定が国コードをもとに初期化されている場合、その国コードは、ソフトウェア情報１５３としてメモリ部１５に登録されているものとする。
【００４２】
例えば、工場出荷時のデフォルト設定として、日本国内向けの初期化が行われていた場合、ソフトウェア情報１５３には、日本を示す国コード（すなわち「４４０」）が登録されていることになる。
【００４３】
また、外部メモリ２０には、先述したように、ユーザ情報２１として、ユーザの電話番号、ユーザが契約している登録国の国コード（以下では、登録国コード呼ぶ）、ユーザが契約している登録オペレータのオペレータコード（以下では、登録オペレータコードと呼ぶ）などが格納されているものとする。
【００４４】
図２のフローにおいて、ステップＳ１−１では、携帯通信端末１０の起動時や外部メモリ２０の装着時、若しくは、ユーザからのキー入力などによるアクション要求により、外部メモリ２０からユーザ情報取得手段１２１を介してユーザ情報２１の取得が行われる。
【００４５】
ステップＳ１−２では、ステップＳ１−１で取得されたユーザ情報２１のうち、ユーザが契約している登録国コードが抽出される。
【００４６】
ステップＳ１−５では、ソフトウェア情報１５３に登録されているソフトウェアや設定の国コード（工場出荷時にデフォルト設定とされた国コード）と、ステップＳ１−２で抽出された登録国コードとの比較が行われる。すなわち、ステップＳ１−５では、識別された登録国或いは登録オペレータで必要とされるソフトウェアや設定が端末で現在選択されているか否かの判定が行われる。
【００４７】
ステップＳ１−５にて、両コードが一致していると判定された場合には、国コードが更新されていないため、端末内のソフトウェアや設定を初期化する必要はないと判断され、一連のフローは終了される。
【００４８】
一方、ステップＳ１−５にて、両コードが一致していないと判定された場合には、端末に登録されている国コードが更新されており、端末内のソフトウェアや設定を初期化する必要があると判断され、フローはステップＳ１−６に進められる。
【００４９】
ステップＳ１−６では、ステップＳ１−４で抽出された登録国コードに適合したソフトウェアや設定が端末内に予め登録されているか否か、言い換えれば、サービスの利用に必要なソフトウェアや設定がデータ管理情報１５４として予め格納されているか否かの判定が行われる。ここで、必要なソフトウェアや設定が予め登録されていると判定された場合には、フローがステップＳ１−７に進められ、登録されていないと判定された場合には、フローがステップＳ１−１０に進められる。
【００５０】
ステップＳ１−６にて、必要なソフトウェアや設定が既登録であると判定された場合、ステップＳ１−７では、そのバージョンが最新であるか否かの判定が行われる。ここで、既登録のソフトウェアや設定が最新バージョンであると判定された場合には、フローがステップＳ１−８に進められ、最新バージョンでないと判定された場合には、フローがステップＳ１−１０に進められる。
【００５１】
なお、ステップＳ１−７における最新バージョンの判定処理は、データ管理情報１５４に格納されたソフトウェアや設定のバージョン情報と、ネットワーク接続手段１２２を介して接続される不図示のサーバ（該当するソフトウェアや設定の取得先）に格納されたソフトウェアや設定のバージョン情報とを比較することで行われる。
【００５２】
ステップＳ１−７にて、既登録のソフトウェアや設定が最新バージョンであると判定された場合、ステップＳ１−８では、該当するソフトウェアや設定の読込みが行われ、続くステップＳ１−９では、ステップＳ１−８で読み込まれたソフトウェアや設定への自動切替処理（端末の初期化処理）が行われる。
【００５３】
すなわち、ステップＳ１−９では、必要なソフトウェアや設定が端末では現在選択されてはいないものの、端末内には予め登録されており、かつ、それが最新であるとの判定結果に基づいて、端末内に予め登録されている複数のソフトウェアや設定の中から、上記のソフトウェアや設定を選択するように、端末内のソフトウェアや設定が自動的に切り替えられることになる。そして、当該ステップの完了により、一連のフローは終了される。
【００５４】
一方、ステップＳ１−６にて、必要なソフトウェアや設定が既登録でないと判定された場合、或いは、ステップＳ１−７にて、既登録のソフトウェアや設定が最新バージョンでないと判定された場合、ステップＳ１−１０では、ネットワーク接続手段１２２を介して不図示のサーバ（該当するソフトウェアや設定の取得先）にアクセスが行われ、該サーバから、該当するソフトウェアや設定の取得が行われた後、続くステップＳ１−１１では、ステップＳ１−１０で取得されたソフトウェアや設定への自動更新処理（端末の初期化処理）が行われる。
【００５５】
すなわち、ステップＳ１−１０では、必要なソフトウェアや設定が端末では現在選択されておらず、かつ、端末内にも登録されていない、或いは、端末内には予め登録されているものの、それは最新でないとの判定結果に基づいて、端末外から上記のソフトウェアや設定を自動的に取得され、続くステップＳ１−１１では、端末外から取得されたソフトウェアや設定を選択するように、端末内のソフトウェアや設定が自動的に更新されることになる。そして、当該ステップの完了により、一連のフローは終了される。
【００５６】
このような構成とすることにより、ユーザが契約している登録国に依ることなく、ユーザの所望するサービスを容易に利用することができるので、ユーザの利便性を向上することが可能となる。
【００５７】
また、メーカサイドから見た場合には、複数の国または地域向けに、或いは、複数のオペレータ向けに単一の携帯通信端末を提供することができるようになるので、部品や製造工程の一元化を図ることができ、延いては、製造コストを削減することが可能となる。
【００５８】
次に、図３を参照しながら上記処理の第２実施形態について説明する。
【００５９】
図３は、携帯通信端末１０においてソフトウェアや設定の自動切替或いは自動更新を行う処理の第２実施形態を示すフローチャートである。
【００６０】
なお、図３のフローを実行する前提として、携帯通信端末１０の内部に格納されたソフトウェアや設定が国コードをもとに初期化されている場合、その国コードに対応する国番号は、ユーザ情報１５２としてメモリ部１５に登録されているものとする。
【００６１】
例えば、工場出荷時のデフォルト設定として、日本国内向けの初期化が行われていた場合、ユーザ情報１５２には、日本を示す国番号（すなわち「８１」）が登録されていることになる。
【００６２】
また、外部メモリ２０には、先述したように、ユーザ情報２１として、ユーザの電話番号、ユーザが契約している登録国コード、ユーザが契約している登録オペレータコードなどが格納されているものとする。
【００６３】
図３のフローにおいて、ステップＳ２−１、Ｓ２−２は、先述のステップＳ１−１、Ｓ１−２と同様の処理工程であり、各ステップにおいて、ユーザ情報２１の取得、及び、登録国コードの抽出が行われる。
【００６４】
ステップＳ２−３では、ステップＳ２−２で抽出された登録国コードをもとに国番号データベース１５１の検索が行われ、ステップＳ２−４では、登録国に対応する国番号（以下では、登録国番号と呼ぶ）が検出される。
【００６５】
ステップＳ２−５では、ユーザ情報１５２に登録されている国番号（工場出荷時にデフォルト設定とされた国番号）と、ステップＳ２−４で検出された登録国番号と、の比較が行われる。
【００６６】
ステップＳ２−５にて、両番号が一致していると判定された場合には、国番号が更新されていないため、端末内のソフトウェアや設定を初期化する必要はないと判断され、一連のフローは終了される。
【００６７】
一方、ステップＳ２−５にて、両番号が一致していないと判定された場合には、端末に登録されている国番号が更新されており、端末内のソフトウェアや設定を初期化する必要があると判断され、フローはステップＳ２−６に進められる。
【００６８】
ステップＳ２−６〜Ｓ２−１１は、先述のステップＳ１−６〜Ｓ１−１１と同様の工程であるため、重複した説明は省略する。
【００６９】
このような構成とすることにより、先述の第１実施形態と同様、ユーザが契約している登録国に依ることなく、ユーザの所望するサービスを容易に利用することができるので、ユーザの利便性を向上することが可能となる。
【００７０】
次に、図４を参照しながら上記処理の第３実施形態について説明する。
【００７１】
図４は、携帯通信端末１０においてソフトウェアや設定の自動切替或いは自動更新を行う処理の第３実施形態を示すフローチャートである。
【００７２】
なお、図４のフローを実行する前提として、携帯通信端末１０の内部に格納されたソフトウェアや設定が国コードとオペレータコードをもとに初期化されている場合、その国コードとオペレータコードは、ソフトウェア情報１５３としてメモリ部１５に登録されているものとする。
【００７３】
例えば、工場出荷時のデフォルト設定として、日本国内のあるオペレータ向けに初期化が行われていた場合、ソフトウェア情報１５３には、日本を示す国コード（すなわち「４４０」）と、当該オペレータを示すオペレータコード（例えば「２０」）が登録されていることになる。
【００７４】
なお、以下の説明では、上記の国コードとオペレータコードとを合わせて、適宜、国オペレータコード（上記の例では「４４０２０」）と呼ぶ。
【００７５】
また、外部メモリ２０には、先述したように、ユーザ情報２１として、ユーザの電話番号、ユーザが契約している登録国コード、ユーザが契約している登録オペレータコードなどが格納されているものとする。
【００７６】
なお、以下の説明では、上記の登録国コードと登録オペレータコードとを合わせて、適宜、登録国オペレータコードと呼ぶ。
【００７７】
図２のフローにおいて、ステップＳ３−１では、携帯通信端末１０の起動時や外部メモリ２０の装着時、若しくは、ユーザからのキー入力などによるアクション要求により、外部メモリ２０からユーザ情報取得手段１２１を介してユーザ情報２１の取得が行われる。
【００７８】
ステップＳ３−２では、ステップＳ３−１で取得されたユーザ情報２１のうち、ユーザが契約している登録国コードと登録オペレータコード（すなわち、登録国オペレータコード）が抽出される。
【００７９】
ステップＳ３−５では、ソフトウェア情報１５３に登録されているソフトウェアや設定の国オペレータコード（工場出荷時にデフォルト設定とされた国オペレータコード）と、ステップＳ３−２で抽出された登録国オペレータコードとの比較が行われる。
【００８０】
ステップＳ３−５にて、両コードが一致していると判定された場合には、国オペレータコードが更新されていないため、端末内のソフトウェアや設定を初期化する必要はないと判断され、一連のフローは終了される。
【００８１】
一方、ステップＳ３−５にて、両コードが一致していないと判定された場合には、端末に登録されている国オペレータコードが更新されており、端末内のソフトウェアや設定を初期化する必要があると判断され、フローはステップＳ３−６に進められる。
【００８２】
ステップＳ３−６〜Ｓ３−１１は、先述のステップＳ１−６〜Ｓ１−１１と同様の工程であるため、重複した説明は省略する。
【００８３】
このような構成とすることにより、ユーザが契約している登録国や登録オペレータに依ることなく、ユーザの所望するサービスを容易に利用することができるので、ユーザの利便性を向上することが可能となる。
【００８４】
なお、本発明の構成は、上記実施形態のほか、発明の主旨を逸脱しない範囲で種々の変更を加えることが可能である。
【産業上の利用可能性】
【００８５】
本発明は、複数オペレータ（事業者）が存在する国または地域で利用され、若しくは、多国間または多地域間にわたって利用される携帯通信端末の利便性を高める上で有用な技術である。
【図面の簡単な説明】
【００８６】
【図１】は、本発明に係る携帯通信端末の概略構成を示すブロック図である。
【図２】は、ソフトウェアや設定の自動切替或いは自動更新を行う処理の第１実施形態を示すフローチャートである。
【図３】は、ソフトウェアや設定の自動切替或いは自動更新を行う処理の第２実施形態を示すフローチャートである。
【図４】は、ソフトウェアや設定の自動切替或いは自動更新を行う処理の第３実施形態を示すフローチャートである。
【符号の説明】
【００８７】
１０    携帯通信端末
１１    外部メモリ接続部
１２    制御部
１２１    ユーザ情報取得手段
１２２    ネットワーク接続手段
１３    操作部
１４    表示部
１５    メモリ部
１５１    国番号データベース
１５２    ユーザ情報
１５３    ソフトウェア情報
１５４    データ管理情報
２０    外部メモリ
２１    ユーザ情報
【図１】
2007129301.tif 000003
【図２】
2007129301.tif 000004
【図３】
2007129301.tif 000005
【図４】
2007129301.tif 000006